(57)【要約】送信電力制御コマンドを解釈するシンボルスペースの非対称的判断領域を画定する方法、受信機、およびコンピュータプログラムプロダクトが開示される。受信機における送信電力制御コマンドを決定する方法は、受信機における第１の電力制御コマンドに関連付けられるシンボルスペースの第１の判断領域、および受信機における第２の電力制御コマンドに関連付けられるシンボルスペースの第２の判断領域を画定することを含むことができ、第１および第２の領域は互いに非対称的である。広帯域符号分割多元接続通信システムにおいてソフトハンドオーバモード中に送信電力制御コマンドを決定する方法も検討され、複数の送信機から受信された合成電力制御コマンドの第１の決定を複数の送信機から受信された合成電力制御コマンドの第２の決定と合成させて合成電力制御コマンドを提供することができる。関連する回路も開示される。
2006500880.tif 000002
【特許請求の範囲】
【請求項１】
受信機における送信電力制御コマンドの決定方法であって、該方法は受信機における第１の電力制御コマンドに関連付けられるシンボルスペースの第１の判断領域と受信機における第２の電力制御コマンドに関連付けられるシンボルスペースの第２の判断領域とを画定するステップを含み、前記第１および第２の判断領域は互いに非対称的である前記方法。
【請求項２】
請求項１に記載の方法であって、さらに、
受信シンボルを提供するために受信機において送信電力制御コマンドを受信するステップと、
前記受信シンボルを前記第１の判断領域にマッピングするか前記第２の判断領域にマッピングするかを決定するステップと、
前記受信シンボルを前記第１の判断領域にマッピングする場合には、前記受信シンボルを前記第１の電力制御コマンドとして解釈するステップと、
前記受信シンボルを前記第２の判断領域にマッピングする場合には、前記受信シンボルを前記第２の電力制御コマンドとして解釈するステップと、
を含む前記方法。
【請求項３】
請求項１に記載の方法であって、さらに、
前記受信機へコマンドを送信するのに使用されたいくつかの送信機の中の１つ以上、前記受信機に関連する速度、前記受信機に関連する干渉、少なくとも１つの前記送信機と前記受信機との間の周波数誤差、前記受信機において受信されたパイロットシーケンス、または電力制御コマンドの信頼度に影響を及ぼす送信電力に関連するパラメータに基づいて前記シンボルスペースの前記第１および第２の非対称的領域を再画定するステップを含む前記方法。
【請求項４】
請求項１に記載の方法であって、前記第１の判断領域は前記第２の判断領域よりも大きい前記シンボルスペースの部分を含み、前記受信電力制御コマンドを前記第２の電力制御コマンドではなく前記第１の電力制御コマンドとして解釈する偏り（ｂｉａｓ）を与える前記方法。
【請求項５】
請求項１に記載の方法であって、受信機はスペクトル拡散モバイルユーザ端末を含み、該スペクトル拡散モバイルユーザ端末へ前記電力制御コマンドを送信するのに使用される送信機は基地局を含み、前記第１の電力制御コマンドは前記スペクトル拡散モバイルユーザ端末の送信電力を増加する前記基地局からの第１のＴＰＣコマンドを含み、前記第２の電力制御コマンドはスペクトル拡散モバイルユーザ端末の送信電力を減少する基地局からの第２のＴＰＣコマンドを含む前記方法。
【請求項６】
請求項５に記載の方法であって、前記第１と第２のＴＰＣコマンドは広帯域符号分割多元接続通信システムで動作している前記モバイルユーザ端末に関連付けられる個別の物理的チャネル内に含まれる前記方法。
【請求項７】
請求項２に記載の方法であって、前記受信ステップは、さらに、周波数誤差情報を使用する前記送信電力制御コマンドを受信して、該電力制御コマンドを送信するのに使用された送信機周波数と受信機周波数との差を補償するステップを含む前記方法。
【請求項８】
請求項７に記載の方法であって、前記周波数誤差情報は前記受信機により受信された通信チャネルの自動周波数制御（ＡＦＣ）ブロック内に含まれる情報に基づく周波数誤差推定値を含む前記方法。
【請求項９】
請求項７に記載の方法であって、複数の送信機は少なくとも１つの電力制御コマンドを前記受信機へ送信し、前記受信ステップは、さらに、複数の送信機に関連する複数の前記周波数誤差情報を使用する前記少なくとも１つの電力制御コマンドを受信するステップを含む前記方法。
【請求項１０】
請求項７に記載の方法であって、複数の送信機は少なくとも１つの電力制御コマンドを前記受信機へ送信し、前記周波数誤差情報は前記複数の送信機に関連する周波数誤差情報の平均を含む前記方法。
【請求項１１】
請求項１に記載の方法であって、
前記シンボルスペースはＩＱ座標系の表示を含み、
前記第１の判断領域は前記ＩＱ座標系の半分よりも広く、前記第２の判断領域は半分よりも狭い、前記方法。
【請求項１２】
複数の送信電力制御コマンドを受信して、受信機において受信された第１の電力制御コマンドに関連付けられるシンボルスペースの第１の判断領域と、受信機において受信された第２の電力制御コマンドに関連付けられるシンボルスペースの第２の判断領域とを含むように画定されるシンボルスペースへマッピングする受信シンボルを提供するように構成された回路を含む受信機であって、前記第１および第２の領域は互いに非対称的である前記受信機。
【請求項１３】
請求項１２に記載の受信機であって、前記回路は、さらに、前記受信シンボルを前記第１の判断領域へマッピングするか前記第２の判断領域へマッピングするかを決定し、受信シンボルを前記第１の判断領域へマッピングする場合には前記受信シンボルを前記第１の電力制御コマンドとして解釈し、前記受信シンボルを前記第２の判断領域へマッピングする場合には前記受信シンボルを前記第２の電力制御コマンドとして解釈するように構成される前記受信機。
【請求項１４】
請求項１２に記載の受信機であって、前記回路は、さらに、前記受信機へ前記電力制御コマンドを送信するのに使用されたいくつかの送信機の中の少なくとも１つ以上、前記受信機に関連する速度、前記受信機に関連する干渉、少なくとも１つの前記送信機と前記受信機との間の周波数誤差、前記受信機において受信されたパイロットシーケンス、または前記電力制御コマンドの信頼度に影響を及ぼす送信電力に関連するパラメータに基づいて、前記シンボルスペースの前記第１および第２の非対称的領域を再画定するように構成される前記受信機。
【請求項１５】
請求項１２に記載の受信機であって、前記第１の判断領域は前記第２の判断領域よりも大きいシンボルスペース部分を含み、前記受信シンボルを前記第２の電力制御コマンドではなく前記第１の電力制御コマンドとして解釈する偏りを与える受信機。
【請求項１６】
請求項１２に記載の受信機であって、前記受信機はスペクトル拡散モバイルユーザ端末を含み、該スペクトル拡散モバイルユーザ端末へコマンドを送信するのに使用される送信機は基地局を含み、前記第１の電力制御コマンドは前記スペクトル拡散モバイルユーザ端末の送信電力を増加する前記基地局からの第１のＴＰＣコマンドを含み、前記第２の電力制御コマンドは前記スペクトル拡散モバイルユーザ端末の送信電力を前記減少する前記基地局からの第２のＴＰＣコマンドを含む前記受信機。
【請求項１７】
請求項１６に記載の受信機であって、前記ＴＰＣコマンドは広帯域符号分割多元接続通信システムで動作している前記スペクトル拡散モバイルユーザ端末に関連付けられる個別の物理的チャネル内に含まれる前記受信機。
【請求項１８】
請求項１３に記載の受信機であって、前記回路は、さらに、周波数誤差情報を使用する前記送信電力制御コマンドを受信して、該電力制御コマンドを送信するのに使用された送信機周波数と受信機周波数との差を補償するように構成される前記受信機。
【請求項１９】
請求項１８に記載の受信機であって、前記周波数誤差情報は前記受信機により受信された通信チャネルの自動周波数制御（ＡＦＣ）ブロック内に含まれる情報に基づく周波数誤差推定値を含む前記受信機。
【請求項２０】
請求項１８に記載の受信機であって、複数の送信機は少なくとも１つの電力制御コマンドを前記受信機へ送信し、前記回路は、さらに、前記複数の送信機に関連する複数の周波数誤差情報を使用する前記少なくとも１つの電力制御コマンドを受信するように構成される前記受信機。
【請求項２１】
請求項１８に記載の受信機であって、複数の送信機は少なくとも１つの電力制御コマンドを前記受信機へ送信し、前記周波数誤差情報は前記複数の送信機に関連する周波数誤差情報の平均を含む前記受信機。
【請求項２２】
請求項１２に記載の受信機であって、
前記シンボルスペースはＩＱ座標系の表示を含み、
前記第１の判断領域は前記ＩＱ座標系の半分よりも広く、第２の判断領域は半分よりも狭い、前記受信機。
【請求項２３】
受信機における送信電力制御コマンドを決定するコンピュータプログラムプロダクトであって、コンピュータ読取可能記憶媒体内に含まれるコンピュータ読取可能プログラムコード手段を有する前記媒体を含み、コンピュータ読取可能プログラムコード手段は受信機における第１の電力制御コマンドに関連付けられるシンボルスペースの第１の判断領域と受信機における第２の電力制御コマンドに関連付けられるシンボルスペースの第２の判断領域とを画定するコンピュータ読取可能プログラムコード手段を含み、前記第１および第２の領域は互いに非対称的である前記コンピュータプログラムプロダクト。
【請求項２４】
請求項２３に記載のコンピュータプログラムプロダクトであって、さらに、
受信シンボルを提供するために受信機において送信電力制御コマンドを受信するコンピュータ読取可能プログラムコード手段と、
前記受信シンボルを前記第１の判断領域にマッピングするか前記第２の判断領域にマッピングするかを決定するコンピュータ読取可能プログラムコード手段と、
前記受信シンボルを前記第１の判断領域にマッピングする場合には、前記受信シンボルを前記第１の電力制御コマンドとして解釈するコンピュータ読取可能プログラムコード手段と、
前記受信シンボルを前記第２の判断領域にマッピングする場合には、前記受信シンボルを前記第２の電力制御コマンドとして解釈するコンピュータ読取可能プログラムコード手段と、
を含む前記コンピュータプログラムプロダクト。
【請求項２５】
請求項２３に記載のコンピュータプログラムプロダクトであって、さらに、
前記受信機へ電力制御コマンドを送信するのに使用されたいくつかの送信機の中の少なくとも１つ以上、前記受信機に関連する速度、前記受信機に関連する干渉、少なくとも１つの前記送信機と前記受信機との間の周波数誤差、前記受信機において受信されたパイロットシーケンス、または前記電力制御コマンドの信頼度に影響を及ぼす送信電力に関連するパラメータに基づいて前記シンボルスペースの前記第１および第２の非対称的領域を再画定するコンピュータ読取可能プログラムコード手段を含む前記コンピュータプログラムプロダクト。
【請求項２６】
請求項２３に記載のコンピュータプログラムプロダクトであって、前記第１の判断領域は前記第２の判断領域よりも大きいシンボルスペース部分を含み、前記受信シンボルを前記第２の電力制御コマンドではなく前記第１の電力制御コマンドとして解釈する偏りを与える前記コンピュータプログラムプロダクト。
【請求項２７】
請求項２３に記載のコンピュータプログラムプロダクトであって、前記受信機はスペクトル拡散モバイルユーザ端末を含み、該スペクトル拡散モバイルユーザ端末へ前記電力制御コマンドを送信するのに使用される送信機は基地局を含み、前記第１の電力制御コマンドは前記スペクトル拡散モバイルユーザ端末の送信電力を増加する前記基地局からの第１のＴＰＣコマンドを含み、前記第２の電力制御コマンドは前記スペクトル拡散モバイルユーザ端末の送信電力を減少する前記基地局からの第２のＴＰＣコマンドを含む前記コンピュータプログラムプロダクト。
【請求項２８】
請求項２７に記載のコンピュータプログラムプロダクトであって、前記第１と第２のＴＰＣコマンドは広帯域符号分割多元接続通信システムで動作している前記スペクトル拡散モバイルユーザ端末に関連付けられる個別の物理的チャネル内に含まれる前記コンピュータプログラムプロダクト。
【請求項２９】
請求項２４に記載のコンピュータプログラムプロダクトであって、前記受信するコンピュータ読取可能プログラムコード手段は、さらに、周波数誤差情報を使用する前記送信電力制御コマンドを受信して前記電力制御コマンドを送信するのに使用された送信機周波数と受信機周波数との差を補償する、前記コンピュータ読取可能プログラムコード手段を含むコンピュータプログラムプロダクト。
【請求項３０】
広帯域符号分割多元接続通信システムにおいてソフトハンドオーバ中に受信機における送信電力制御コマンドを決定する方法であって、該方法は、複数の送信機から受信した合成電力制御コマンドの第１の決定を、複数の送信機から受信した合成電力制御コマンドの第２の決定と合成して合成電力制御コマンドを提供するステップを含む前記方法。
【請求項３１】
請求項３０に記載の方法であって、
前記第１の決定は合成電力制御コマンドを送信電力を減少する第１のＴＰＣコマンドとして解釈する第１の偏りを含み、
前記第２の決定は合成電力制御コマンドを送信電力を増加する第２のＴＰＣコマンドとして解釈する第２の偏りを含む、方法。
【請求項３２】
請求項３１に記載の方法であって、前記第１の偏りはソフトハンドオーバ中に前記受信機と通信するいくつかの送信機の中の少なくとも１つ、ソフトハンドオーバ中に前記受信機が通信を行う通信チャネルに関連する信号対干渉比（ＳＩＲ）、前記受信機との通信に使用されたいくつかの無線パス、および通信チャネルに関連する電力遅延プロファイル（ＰＤＰ）に基づく前記第１の偏りに対するスケーリングファクタを含む前記方法。
【請求項３３】
請求項３１に記載の方法であって、前記第２の偏りはソフトハンドオーバ中に前記受信機と通信するいくつかの送信機の中の少なくとも１つ、ソフトハンドオーバ中に前記受信機が通信を行う通信チャネルに関連する信号対干渉比（ＳＩＲ）、前記受信機との通信に使用されたいくつかの無線パス、および通信チャネルに関連する電力遅延プロファイル（ＰＤＰ）に基づく前記第２の偏りに対するスケーリングファクタを含む前記方法。
【請求項３４】
請求項３１に記載の方法であって、前記第１の偏りは該第１の偏りに対する第１のスケーリングファクタを含み、前記第２の偏りは前記第１の傾向と相補的である前記第２の傾向に対する第２のスケーリングファクタを含む前記方法。
【請求項３５】
広帯域符号分割多元接続通信システムにおいてソフトハンドオーバ中に受信機における送信電力制御コマンドを決定する方法であって、該方法は、複数の送信機から受信した電力制御コマンドを合成して、ソフトハンドオーバ中に前記受信機と通信するいくつかの送信機の中の少なくとも１つ、通信チャネルに関連する信号対干渉比（ＳＩＲ）、通信チャネルに関連する電力遅延プロファイル（ＰＤＰ）、および通信チャネルに関連するいくつかの無線パスに基づく合成電力制御コマンドを提供するステップを含む前記方法。
【請求項３６】
広帯域符号分割多元接続通信システムにおいてソフトハンドオーバ中に送信電力制御コマンドを決定する回路を含む受信機回路であって、該回路は、複数の送信機から受信した合成電力制御コマンドの第１の決定を複数の送信機から受信した合成電力制御コマンドの第２の決定とを合成して合成電力制御コマンドを提供するように構成される前記受信機回路。
【請求項３７】
請求項３６に記載の受信機回路であって、
前記第１の決定は合成電力制御コマンドを送信電力を減少する第１のＴＰＣコマンドとして解釈する第１の偏りを含み、
前記第２の決定は合成電力制御コマンドを送信電力を増加する第２のＴＰＣコマンドとして解釈する第２の偏りを含む、前記受信機回路。
【請求項３８】
請求項３７に記載の受信機回路であって、前記第１の偏りはソフトハンドオーバ中に前記受信機回路と通信するいくつかの送信機の中の少なくとも１つ、ソフトハンドオーバ中に受信機が通信を行う通信チャネルに関連する信号対干渉比（ＳＩＲ）、受信機との通信に使用されたいくつかの無線パス、および通信チャネルに関連する電力遅延プロファイル（ＰＤＰ）に基づく第１の偏りに対するスケーリングファクタを含む前記受信機回路。
【請求項３９】
請求項３７に記載の受信機回路であって、前記第２の偏りはソフトハンドオーバ中に受信機と通信するいくつかの送信機の中の少なくとも１つ、ソフトハンドオーバ中に受信機が通信を行う通信チャネルに関連する信号対干渉比（ＳＩＲ）、受信機との通信に使用されたいくつかの無線パス、および通信チャネルに関連する電力遅延プロファイル（ＰＤＰ）に基づく第２の偏りに対するスケーリングファクタを含む前記受信機回路。
【請求項４０】
請求項３７に記載の受信機回路であって、前記第１の偏りは該第１の偏りに対する第１のスケーリングファクタを含み、前記第２の偏りは前記第１のスケーリングファクタと相補的な前記第２の偏りに対する第２のスケーリングファクタを含む前記受信機回路。
【請求項４１】
広帯域符号分割多元接続通信システムにおいてソフトハンドオーバ中に受信機における送信電力制御コマンドを決定する方法であって、該方法は、
受信機における第１の電力制御コマンドに関連付けられるシンボルスペースの第１の判断領域と受信機における第２の電力制御コマンドに関連付けられるシンボルスペースの第２の判断領域とを画定するステップであって、前記第１および第２の領域は互いに非対称的である前記画定するステップと、
送信機から受信した合成電力制御コマンドを決定する第１の決定ステップと、
前記送信機から受信した前記合成電力制御コマンドを決定する第２の決定ステップと、
前記合成電力制御コマンドに関する前記第１の決定を前記合成電力制御コマンドに関する前記第２の決定と、合成して合成電力制御コマンドを提供するステップと、
前記合成電力制御コマンドが前記シンボルスペースの前記第１の判断領域内にあるか前記シンボルスペースの前記第２の判断領域内にあるかを決定するステップと、
を含む前記方法。
【請求項４２】
広帯域符号分割多元接続通信システムにおいてソフトハンドオーバ中に受信機における送信電力制御コマンドを決定する方法であって、該方法は、前記ソフトハンドオーバ中に前記受信機と通信するいくつかの送信機およびソフトハンドオーバ中に前記受信機とが通信を行う通信チャネルに関連する信号対干渉比（ＳＩＲ）に基づいて複数の送信機から受信した複数の電力制御コマンドを合成するステップを含む前記方法。
【請求項４３】
請求項４２に記載の方法であって、さらに、前記通信チャネルに関連する電力遅延プロファイル（ＰＤＰ）に基づいて複数の送信機から受信した電力制御コマンドを合成するステップを含む前記方法。
【請求項４４】
広帯域符号分割多元接続通信システムにおいてソフトハンドオーバ中にモバイルユーザ端末内の受信機における送信電力制御コマンドを決定する方法であって、該方法は、
複数の送信機から送信された各電力制御コマンドを決定するステップと、
前記各電力制御コマンドからシンボルスペースの非対称的に画定された判断領域の境界までの各距離を決定するステップと、
前記各距離を合成して合成電力制御コマンドを提供するステップと、
を含む前記方法。
【請求項４５】
請求項４４に記載の方法であって、さらに、
前記合成電力制御コマンドを閾値と比較するステップを含む前記方法。
【請求項４６】
請求項４５に記載の方法であって、さらに、
前記合成電力制御コマンドが前記閾値よりも大きければモバイルユーザ端末の送信電力を増加するステップを含む前記方法。
【請求項４７】
請求項４５に記載の方法であって、さらに、
前記合成電力制御コマンドが前記閾値よりも小さければモバイルユーザ端末の送信電力を減少するステップを含む前記方法。
【発明の詳細な説明】
【技術分野】
【０００１】
（優先権の請求）
本出願は２００２年９月２３日に出願されたニルソン（Ｎｉｌｓｓｏｎ）等の米国仮特許出願第６０／４１２，８９８号”Ｉｍｐｒｏｖｅｄ  ＴＰＣ  Ｄｅｃｏｄｉｎｇ”，および２００２年１２月５日に出願されたジョンソン（Ｊｏｎｓｓｏｎ）等の米国仮特許出願第６０／４３１，５５２号”Ｉｍｐｒｏｖｅｄ  ＴＰＣ  Ｄｅｃｏｄｉｎｇ  ｉｎ  Ｓｏｆｔ  Ｈａｎｄｏｖｅｒ”から優先権を請求するものであり、その全体が本開示の一部としてここに組み入れられている。
（発明の技術分野）
本発明は一般的に通信の分野に関し、特に、ワイヤレス通信の分野に関する。
【背景技術】
【０００２】
（関連技術の説明）
ワイヤレス通信システムは加入者へ音声およびデータ通信を提供するために広く利用されている。たとえば、ＡＭＰＳ，ＥＴＡＣＳ，ＮＭＴ−４５０，ＧＳＭ，ＮＭＴ−９００等のセルラー無線電話システムが世界中で成功裡に展開されている。
【０００３】
しかしながら、最近、Ｔｈｉｒｄ  Ｇｅｎｅｒａｔｉｏｎ  Ｐａｒｔｎｅｒｓｈｉｐ  Ｐｒｏｊｅｃｔ  （３ＧＰＰ）およびＣＤＭＡ−２０００等の他のシステムの下で開発されたものを含む新しいワイヤレス通信標準が一般的に広帯域符号分割多元接続（ＷＣＤＭＡ）と呼ばれるフォーマットを使用して提案されてきている。これらの仕様は、とりわけ、コンプライアントなシステムによりサービスされるモバイルユーザ端末がどのように作動すべきかのさまざまな側面を規定する。たとえば、３ＧＰＰはモバイルユーザ端末による送信電力制御（ＴＰＣ）コマンドの処理を指定する。基地局からモバイルユーザ端末へ送信することができるＴＰＣコマンドはＴＰＣコマンドを受信するモバイルユーザ端末がその送信電力を増加すべきか減少すべきかを指定する。３ＧＰＰはＴＰＣコマンドを受信した後でモバイルユーザ端末が送信電力を調節しなければならない時間間隔を指定する。したがって、モバイルユーザ端末は指定された時間間隔内にＴＰＣコマンドを復号して送信電力を適切に調節しモバイルユーザ端末の適切な動作を保証しなければならない。
【０００４】
モバイルユーザ端末と基地局との間の周波数誤差によりモバイルユーザ端末により受信されたＴＰＣコマンドは誤解釈されてしまうことがある。たとえば、モバイルユーザ端末と基地局との間の周波数誤差によりモバイルユーザ端末の送信電力を増加するためのコマンド（すなわち、ＴＰＣ電力増加コマンド）はモバイルユーザ端末の送信電力を減少するためのコマンド（すなわち、ＴＰＣ電力減少コマンド）として誤解釈されてしまうことがある。受信ＴＰＣコマンドは、たとえば、干渉やノイズにより誤解釈されてしまうこともある。モバイルユーザ端末の送信電力が誤って減少されて基地局と通信するのに必要なより下限電力が維持されないと、モバイルユーザ端末はワイヤレス通信システムからサービスを受けられなくなることがある。一方、送信電力が誤って増加されると、モバイル端末はシステム内の他のモバイル端末と実質的に干渉する電力レベルで送信を行って、全体容量に影響を及ぼす危険性がある。モバイルユーザ端末の送信電力制御は、たとえば、金田等の米国特許第６，３４３，２１８号  Ｔｒａｎｓｍｉｓｓｉｏｎ  Ｐｏｗｅｒ  Ｃｏｎｔｒｏｌ  Ｍｅｔｈｏｄ，Ｍｏｂｉｌｅ  Ｐｈｏｎｅ，Ｂａｓｅ  Ｓｔａｔｉｏｎ，ａｎｄ  Ｒｅｃｏｒｄｉｎｇ  Ｍｅｄｉｕｍで検討されている。
【０００５】
さらに、一般的に“ソフトハンドオーバ”と呼ばれる期間中にモバイルユーザ端末は２つ以上の基地局と通信していることがある。たとえば、ＷＣＤＭＡシステムでは、モバイルユーザ端末はソフトハンドオーバ中に６つまでの基地局と通信していることがある。ソフトハンドオーバは呼が絶たれる確率を低減することにより、端末が１つのセルからもう１つのセルへ移動する時にシステムとモバイルユーザ端末間の通信の信頼度を改善することができる。さらに、ソフトハンドオーバは高められたダイバーシチを提供して高速フェージング等の現象を補償することができるため、ＷＣＤＭＡシステムの容量を増加することもできる。
【０００６】
ソフトハンドオーバにおいて、各基地局は、モバイルユーザ端末が上り回線（すなわち、モバイルユーザ端末から基地局）で送信する電力を調節するのに使用される独立した送信電力コマンド（ＴＰＣ）を、下り回線（すなわち、基地局からモバイルユーザ端末）で送ることができる。たとえば、１つの基地局がモバイルユーザ端末の送信電力を増加するＴＰＣコマンドを送ることができ、もう１つの基地局がモバイルユーザ端末の送信電力を減少するＴＰＣコマンドを送信することができる。したがって、モバイルユーザ端末は表面的に競合するＴＰＣコマンドに応答して送信電力を調節することが必要となることがある。
【０００７】
さまざまな基地局からの異なるＴＰＣコマンドを分析する方法が知られている。たとえば、１つの方法では、少なくとも１つの基地局がモバイルユーザ端末送信電力を減少するＴＰＣコマンドを送信する場合、モバイルユーザ端末の送信電力は減少される。しかしながら、基地局により送信されたのと同じＴＰＣコマンドをモバイルユーザ端末が受信する確率は、コマンドが送信されるチャネルに関連する信号対干渉比（ＳＩＲ）によって決まることがある。したがって、モバイルユーザ端末により受信される（すなわち、解釈される）ＴＰＣコマンドは基地局により送信されるたのと同じにはならないことがある。典型的には、ＴＰＣコマンドの送信／受信に関連するビット誤り率（ＢＥＲ）はおよそ５％−２０％となる。
【発明の開示】
【発明が解決しようとする課題】
【０００８】
ＴＰＣコマンドを送信電力を減少するコマンドとして誤解釈するモバイルユーザ端末の確率が高くなると、モバイルユーザ端末が送信電力を減少し過ぎてシステムとの接続を失う危険性も高まる。一方、ＴＰＣコマンドを送信電力を増加するコマンドとして誤解釈するモバイルユーザ端末の確率が高くなると、モバイルユーザ端末が送信電力を増加し過ぎてシステムの容量に影響を及ぼす危険性も高まる。
【課題を解決するための手段】
【０００９】
（概要）
本発明の実施例は送信電力制御コマンドを解釈するシンボルスペースの非対称的判断領域を画定する方法、受信機、およびコンピュータプログラムプロダクトを提供することができる。これらの実施例に従って、受信機における送信電力制御コマンドを決定する方法は受信機における第１の電力制御コマンドに関連付けられるシンボルスペースの第１の判断領域、および受信機における第２の電力制御コマンドに関連付けられるシンボルスペースの第２の判断領域を画定するステップを含むことができ、第１および第２の領域は互いに非対称的である。
【００１０】
本発明に従ったある実施例では、この方法は、さらに、受信機において送信電力制御コマンドを受信して受信シンボルを提供するステップを含むことができる。受信シンボルを第１の判断領域にマッピングするか第２の判断領域にマッピングするかが決定される。受信シンボルは、第１の判断領域にマッピングする場合には第１の電力制御コマンドとして解釈され、第２の判断領域にマッピングする場合には第２の電力制御コマンドとして解釈される。本発明のある実施例では、周波数誤差情報を使用して送信機および受信機間の周波数誤差を補償することができる。
【００１１】
本発明のある実施例では、広帯域符号分割多元接続通信システムにおいてソフトハンドオーバモード中の受信機における送信電力制御コマンドを決定する方法は、複数の送信機から受信した合成電力制御コマンドの第１の決定を複数の送信機から受信した合成電力制御コマンドの第２の決定と合成して合成電力制御コマンドを提供するステップを含むことができる。
【００１２】
したがって、本発明に従った実施例は電力制御コマンドをもう１つのタイプのコマンドではなく１つのタイプのコマンドとして解釈する偏り（ｂｉａｓ）を許すことができる。たとえば、本発明のある実施例では、受信ＴＰＣコマンドをＴＰＣ電力減少コマンドとしてではなくＴＰＣ電力増加コマンドとして解釈する偏りにより、モバイルユーザ端末がその送信電力を増加するのではなく誤って減少する確率を低減することができる。
【００１３】
本発明に従ったある実施例では、ソフトハンドオーバ中に受信機と通信するいくつかの送信機およびソフトハンドオーバ中に受信機が通信を行う通信チャネルに関連する信号対干渉比（ＳＩＲ）に基づいて、複数の送信機から受信される電力制御コマンドを合成することにより広帯域符号分割多元接続通信システムにおけるソフトハンドオーバモード中に送信電力制御コマンドを受信することができる。
【００１４】
本発明に従ったある実施例では、受信機における第１の電力制御コマンドに関連付けられるシンボルスペースの第１の判断領域と受信機における第２の電力制御コマンドに関連付けられるシンボルスペースの第２の判断領域を画定することにより、ソフトハンドオーバモード中にＴＰＣコマンドを受信することができ、第１および第２の領域は互いに非対称的である。複数の送信機から受信した合成電力制御コマンドの第１の決定を行うことができる。複数の送信機から受信した合成電力制御コマンドの第２の決定を行うことができる。合成電力制御コマンドの第１の決定を合成電力制御コマンドの第２の決定と合成して合成電力制御コマンドを提供することができる。合成電力制御コマンドがシンボルスペースの第１の判断領域内にあるかシンボルスペースの第２の判断領域内にあるかを決定してＴＰＣコマンドに対する値を決定することができる。
【実施例】
【００１５】
（実施例の詳細な説明）
本発明の実施例を示す添付図を参照しながら、以下、本発明をより詳しく説明する。しかしながら、本発明は異なる形式で実施することができ、ここに記載された実施例に限定されるものではない。これらの実施例は、本開示が完璧かつ完全となるように、発明の範囲を当業者に十分に伝えられるように、提供されるものである。
【００１６】
本発明の記述に使用される用語は特定の実施例を説明することだけを目的としており、発明の範囲を限定するものではない。本発明および添付特許請求の範囲の記述において使用される“ａ”，“ａｎ”および“ｔｈｅ”のような単数形は文脈で明確に特記されていない限り複数形も含むものとする。
【００１７】
特記なき限り、ここで使用される全ての技術および科学用語は当業者により一般的に理解されているのと同じ意味を有する。全ての出版物、特許出願、特許、およびここで言及された他の参考文献はその全体が本開示の一部としてここに組み入れられている。
【００１８】
当業者ならばお判りのように、本発明は方法、モバイルユーザ端末（無線電話機のような）および／またはシステムとして実施することができる。したがって、本発明はハードウェア実施例、ソフトウェア実施例またはソフトウェアおよびハードウェアの態様を合成する実施例の形をとることができる。
【００１９】
本発明は、また、フロー図およびブロック図を使用して開示される。各ブロック（フロー図およびブロック図の）、およびブロックの組合せはコンピュータプログラム命令を使用して実現することができる。これらのプログラム命令はモバイルユーザ端末またはシステム内のプロセッサ回路に与えて、プロセッサ回路上で実行する命令がブロック内で指定された機能を実現する手段を作り出すようにすることができる。コンピュータプログラム命令はデジタル信号ベースバンドプロセッサ等のプロセッサ回路により実行されて、プロセッサ回路に一連の動作ステップを実施させ、コンピュータインプリメントプロセスを作り出してプロセッサ回路上で実行する命令がブロック内で指定された機能を実現するステップを提供するようにすることができる。したがって、ブロックは指定された機能を実施する手段の組合せ、指定された機能を実施するステップの組合せおよび指定された機能を実施するプログラム命令をサポートする。各ブロックおよびブロックの組合せは指定された機能またはステップを実施する特殊目的ハードウェアベースシステム、または特殊目的ハードウェアおよびコンピュータ命令の組合せにより実現できることも理解される。
【００２０】
本発明は、一般的に、ワイヤレス符号分割多元接続（ＣＤＭＡ）および／または広帯域符号分割多元接続（ＷＣＤＭＡ）モバイルユーザ端末の状況において記述される。このようなワイヤレス通信システムでは、たとえば、モバイルユーザ端末または基地局内に配置された送信機により発生される電磁波形をアンテナが放射することができる。波形は無線伝播環境内を伝播され、１つ以上のアンテナを介して受信機により受信される。
【００２１】
ＩＳ−９５標準に準拠するようなＣＤＭＡシステムは“スペクトル拡散”技術を使用して増大したチャネル容量を提供することができ、チャネルは一意的拡散コード、すなわち、通信システムが作動する周波数スペクトルの広い部分にわたってオリジナルデータ変調キャリヤを拡散するコードによりデータ変調キャリヤ信号を変調することにより規定される。
【００２２】
ここで使用される用語“ＷＣＤＭＡモバイルユーザ端末”は任意のＷＣＤＭＡ通信装置、とりわけ、マルチラインディスプレイを有するまたは有しないシングルまたはデュアルモードセルラー無線電話機、セルラー無線電話機をデータ処理、ファクシミリおよびデータ通信能力と合成することができるＰｅｒｓｏｎａｌ  Ｃｏｍｍｕｎｉｃａｔｉｏｎｓ  Ｓｙｓｔｅｍ（ＰＣＳ）端末、無線電話機、ページャ、インターネット／イントラネットアクセス、ウェブブラウザ、オーガナイザ、カレンダおよび／または全地球測位システム（ＧＰＳ）受信機を含むことができるＰｅｒｓｏｎａｌ  Ｄａｔａ  Ａｓｓｉｓｔ（“ＰＤＡ”）、および全てがＷＣＤＭＡ型通信を実現する無線電話機トランシーバを含む従来のラップトップおよび／またはパームトップ受信機を含む任意のＷＣＤＭＡ通信装置を含むことができる。
【００２３】
図１Ａは本発明に従ったワイヤレス通信システム実施例を示すブロック図である。ＷＣＤＭＡワイヤレス通信システム１４５はモバイルユーザ端末１００ａ−ｃにワイヤレスサービスを提供する。ワイヤレス通信システム１４５は複数のセル１０２ａ−ｃとして構成され、その各々が関連する基地局１０１ａ−ｃを有しそれは任意の特定の時間に関連するセル１０２ａ−ｃ内にあるモバイルユーザ端末１００ａ−ｃにワイヤレスサービスを提供する。ワイヤレス通信システム１４５の動作は基地局１０１ａ−ｃに接続される移動交換局（ＭＳＣ）１３５により調整される。ＭＳＣ１３５は、さらに、公衆電話交換網（ＰＳＴＮ）１４０に接続される。ワイヤレス通信システム１４５内でより多くの基地局１０１ａ−ｃを使用することができ、２つ以上の基地局を１つのセルに関連付けられることが理解される。さらに、２つ以上のモバイルユーザ端末１００ａ−ｃをセル１０２ａ−ｃによりサービスすることができる。
【００２４】
ワイヤレス通信システム１４５は多数の基地局１０１ａ−ｃを介してモバイルユーザ端末１００ａ−ｃとの通信を維持することができ、同時に、たとえば、モバイルユーザ端末１００ａ−ｃが１つのセルからもう１つのセルへ移動される時に一般的に“ソフトハンドオーバ”と呼ばれるものを助成することができる。当業者ならばお判りのように、ワイヤレス通信システム１４５は一般的に“送信ダイバーシチモード”と呼ばれるものを使用してモバイルユーザ端末１００ａ−ｃとの通信を維持することができる。送信ダイバーシチモードでは、基地局からモバイルユーザ端末１００ａ−ｃへ信号を送信するのに多数のアンテナが使用される。
【００２５】
前述したように、３ＧＰＰ仕様はモバイルユーザ端末１００ａ−ｃへ送信電力制御コマンドを送信してモバイルユーザ端末１００ａ−ｃが基地局へ送信する電力を調整することを要求する。たとえば、モバイルユーザ端末１００ａ−ｃが通信している全ての基地局１０１ａ−ｃから遠ければ、各基地局はモバイルユーザ端末１００ａ−ｃが基地局へ送信する電力を増加すべきであると決定することができる。したがって、各基地局はモバイルユーザ端末１００ａ−ｃがその送信電力を増加するようにモバイルユーザ端末１００ａ−ｃへ“ＴＰＣ電力増加コマンド”を送信することができる。あるいは、モバイルユーザ端末１００ａ−ｃが他のモバイルユーザ端末の動作と干渉を生じることがある電力レベルで送信している、または送信電力が不必要に高いことを１つ以上の基地局が確認する場合は、これらの基地局はモバイルユーザ端末１００ａ−ｃへ“ＴＰＣ電力減少コマンド”を送信することができ、他の基地局は“ＴＰＣ電力増加コマンド”を送信する。ある状況では、全ての基地局が“ＴＰＣ電力増加コマンド”を送信することがある。
【００２６】
本発明に従ったある実施例では、各基地局がＴＰＣコマンドを同じモバイルユーザ端末へ送信する。さらに、異なる基地局により送信されるＴＰＣコマンドは互いに異なることがある。たとえば、ある基地局はモバイルユーザ端末から受信される信号が比較的弱いためＴＰＣ電力増加コマンドを送信することがあり、他の基地局はその基地局で受信される信号が比較的強いためＴＰＣ電力減少コマンドを送信することがある。
【００２７】
図１Ｂは本発明に従って実現されるモバイルユーザ端末内に含まれる受信機および送信機を示すブロック図である。モバイルユーザ端末１００は受信機回路１１０に接続されるアンテナ１０５を介してワイヤレス通信システム１４５により送信されるコマンドを受信する。たとえば、前述したように、受信機回路１１０はワイヤレス通信システム１４５により送信されるＴＰＣコマンドを受信する。本発明に従ったある実施例では、モバイルユーザ端末１００に関連付けられる、３ＧＰＰ仕様に指定されている個別の物理チャネルのような、下り回線チャネルでＴＰＣコマンドを送信することができる。
【００２８】
当業者ならばお判りのように、ＴＰＣコマンドに関連付けられる信号が受信機回路１１０により受信されてＴＰＣコマンドを表すことができる“シンボル”を提供する。このシンボルはデータおよびその信用度を示す関連情報を含む受信コマンドの表示とすることができる。たとえば、シンボルは受信ＴＰＣコマンドを＋１または−１および受信ＴＰＣコマンドが実際上＋１または−１に等しい尤度を示す関連する信頼度として表すことができる。また、シンボルはベクトルの実および虚成分とすることができる個別の成分を有するものとして表すことができる。
【００２９】
さらに、ＴＰＣシンボルは多数のビットを含むことが理解できる。たとえば、ＴＰＣシンボルは２ビットを含むことができ、したがって、４つの状態−１−１，−１＋１，＋１−１，および＋１＋１を表すことができる。本発明に従ったある実施例では、２つの状態（パワーアップおよびパワーダウン）しか表示されないため、−１＋１および＋１−１等の２つの状態は使用されない。さらに、ワイヤレス通信システムにより送信される他のタイプのデータとは対照的に、ＴＰＣコマンドは誤符号化されずＴＰＣコマンドをより高速に決定することができる。
【００３０】
受信機回路１１０により作り出されるＴＰＣコマンドはワイヤレス通信システム１４５と通信するのに使用される送信機回路１１５の送信電力を調節するように構成される電力調節回路１２０へ供給される。モバイルユーザ端末１００の全体動作を、ここに記述されているステップを実施するためにプロセッサ回路１２５により実行されるコンピュータプログラムを格納することができるメモリ回路１３０に接続されたプロセッサ回路１２５により、調整することができる。
【００３１】
図２は本発明に従ったｒａｋｅ受信機を示すブロック図である。いわゆる“ｒａｋｅ受信機”はユーザデータストリームの１つに対応する情報を回復するのに使用することができる。典型的なｒａｋｅ受信機では、受信コンポジット信号は受信機に割り当てられた特定の拡散シーケンスと相関されて複数の時間オフセット相関を作り出し、その各々が送信スペクトル拡散信号のエコーに対応する。次に、相関は重み付けされて合成される、すなわち、各相関に各重み付け係数が乗ぜられて合計され判断統計量（ｄｅｃｉｓｉｏｎ  ｓｔａｔｉｓｔｉｃ）を作り出す。ｒａｋｅ受信機は、たとえば、１９９９年６月２５日に出願された米国特許出願第０９／３４４，８９９号  Ｒａｋｅ  Ｃｏｍｂｉｎｉｎｇ  Ｍｅｔｈｏｄｓ  ａｎｄ  Ａｐｐａｒａｔｕｓ  Ｕｓｉｎｇ  Ｗｅｉｇｈｔｉｎｇ  Ｆａｃｔｏｒｓ  Ｄｅｒｉｖｅｄ  ｆｒｏｍ  Ｋｎｏｗｌｅｄｇｅ  ｏｆ  Ｓｐｒｅａｄ  Ｓｐｅｃｔｒｕｍ  Ｓｉｇｎａｌ  Ｃｈａｒａｃｔｅｒｉｓｔｉｃｓに記述されており、それは本発明と同一の譲受人が譲り受けておりその開示の全体が本開示の一部としてここに組み入れられている。本発明に従ったある実施例では、受信機回路１１０はｒａｋｅ受信機以外の他のタイプの受信機とすることが理解できる。
【００３２】
当業者ならばお判りのように、図２のｒａｋｅ受信機１１０は複数の“ｒａｋｅフィンガー（ｆｉｎｇｅｒ）”２１０を含むことができる。各ｒａｋｅフィンガー２１０は相関器２０７ａ−ｄに接続された遅延素子１０５ａ−ｄを含むことができ、その出力は合成器２１５に接続されている。合成器２１５はモバイルユーザ端末１００により受信されるＴＰＣコマンドに対応するＴＰＣシンボルを提供することができる。本発明に従った実施例はＴＰＣ関連コマンド以外のコマンドを受信するのに使用することも理解できる。
【００３３】
ＴＰＣシンボルは図３に示すシンボルスペースにマッピングすることができる。図３に示すように、シンボルスペースは４象限３００，３０５，３１０および３１５に分けられる座標系“ＩＱ”により表すことができる。シンボルスペースは２つの非対称的判断領域に分けられ、それは円弧３２０で示される第１の判断領域および円弧３２５で示される第２の判断領域である。本発明に従ったある実施例では、第１の判断領域３２０は信号スペースの半分よりも多くを含み、第２の判断領域３２５は信号スペースの半分よりも少なくしか含んでいない（すなわち、第１の判断領域３２０内に含まれないシンボルスペースの補足部分である）。
【００３４】
第１および第２の判断領域３２０，３２５間の非対称的関係により、誤解釈されてしまうことがあるシンボルを、選択が示されているＴＰＣコマンドに関連する判断領域にマッピングすることができる。たとえば、第１の判断領域３２０はモバイルユーザ端末の送信電力を増加するＴＰＣコマンドに関連付け、第２の判断領域３２５はモバイルユーザ端末の電力を減少する第２のＴＰＣコマンドに関連付けてＴＰＣコマンドをＴＰＣ電力増加コマンドとして解釈する偏りを与えることができる。たとえば、図３に示すように、ＴＰＣシンボル３３０は、第１の判断領域３２０内に含まれるシンボルスペースの一部分にマッピングされ、これによって、モバイルユーザ端末の送信電力を増加するＴＰＣコマンドとして解釈される。対照的に、ＴＰＣシンボル３３５は、シンボルスペースの第２の判断領域３２５にマッピングされ、これによって、モバイルユーザ端末の送信電力を減少するＴＰＣコマンドとして解釈される。
【００３５】
第１および第２の判断領域３２０，３２５は次式で表される２本の交差線を使用して画定することができ、
【数１】
2006500880.tif 000003
【数２】
2006500880.tif 000004
ここに、ＱおよびＩはＩＱ平面内のシンボルの実および虚成分を表し、ｋ１，ｋ２，ｋ３，ｋ４は３ＧＰＰ仕様により指定されるような許容される最悪ケースの周波数誤差に従って選択される正の値であり、
2006500880.tif 000005
である。
【００３６】
図４は本発明に従ったモバイルユーザ端末の実施例の典型的な動作を示すフロー図である。図４に従って、シンボルスペースの第１および第２の非対称的判断領域が、たとえば、前述したように画定される（ブロック４００）。ＴＰＣコマンドがモバイルユーザ端末において受信される（ブロック４０５）。受信機はモバイルユーザ端末により受信されたコマンドに基づいてＴＰＣシンボルを作り出し、次に、それはシンボルスペースにマッピングされる。ＴＰＣシンボルを第１の判断領域にマッピンする場合には（ブロック４１０）、ＴＰＣシンボルはモバイルユーザ端末の送信電力を増加するＴＰＣコマンドとして解釈される（ブロック４１５）。しかしながら、ＴＰＣシンボルをシンボルスペースの第２の判断領域にマッピングする場合には（ブロック４１０）、ＴＰＣシンボルはモバイルユーザ端末の送信電力を減少するコマンドとして解釈される（ブロック４２０）。
【００３７】
本発明に従ったある実施例では、シンボルスペースの第１および第２の判断領域の画定はモバイルユーザ端末が動作を継続する時に画定し直すことができる（ブロック４２５）。たとえば、第１および第２の判断領域はモバイルユーザ端末へＴＰＣコマンドを送信する基地局数、モバイルユーザ端末に関連する速度、モバイルユーザ端末により経験される干渉、少なくとも１つの基地局とモバイルユーザ端末間の周波数誤差、モバイルユーザ端末により受信されるパイロットシーケンス、またはＴＰＣコマンドの信頼性に影響を及ぼす送信電力に関連するパラメータに基づいて画定し直すことができる。したがって、第１および第２の判断領域は、モバイルユーザ端末が使用される変化する環境に適合するように修正し、これにより、モバイルユーザ端末の性能を維持し、かつ、長時間にわたって環境が変化してもモバイルユーザ端末によりＴＰＣコマンドが誤解釈される尤度を低減することができる。
【００３８】
図５は本発明に従ったモバイルユーザ端末実施例の典型的な動作をさらに詳細に示すフロー図である。図５に従って、モバイルユーザ端末により受信されるＴＰＣコマンドに関連する判断統計がモバイルユーザ端末と通信する各基地局に対して決定される（５００）。たとえば、特定の基地局から受信するのに使用されるｒａｋｅフィンガーにより提供される判断統計を合計してＴＰＣシンボルを提供することができる。ＲＡＫＥフィンガーｆおよび基地局ｂに対する判断統計ｄｆ，ｂは、たとえば、ワイヤレス通信システムが送信ダイバーシチモードで動作しておれば次式に基づいて決定することができ、
【数３】
2006500880.tif 000006
ここで、ｈａ，ｉ，ｆは、ＴＰＣシンボルｉ，アンテナａ，およびマルチパス遅延（ｒａｋｅフィンガー）ｆ，に対して、適切であれば適当に重み付けされる、無線チャネル推定値であり、ｇｉ，ｆはフィンガーｆに対する逆拡散シンボルｉを示す。
【００３９】
あるいは、モバイルユーザ端末へＴＰＣコマンドを送信するのに１本のアンテナしか使用されない時のように、送信ダイバーシチモードが使用されない場合には、次式に従って判断統計を決定することができる。
【数４】
2006500880.tif 000007
方程式（３）および（４）において、定数Ｌｆ，Ｒｆはｒａｋｅフィンガーからのどの逆拡散データが処理されるかを示し、ｌおよびｒはどの使用データと結合するかを示し、ｒ−ｌ＋１は送信されたＴＰＣコマンド数（たとえば、１，２，４，または８）である。次のＦｂ、ｂ＝１，．．．，Ｂは、基地局ｂとの通信に使用されるｒａｋｅのフィンガーのセットを示し、Ｂは基地局の総数である。
【００４０】
方程式（３）または（４）により決定される判断統計はモバイルユーザ端末と通信する基地局毎に合計され、次式に従って合成ＴＰＣシンボルを提供する（ブロック５０５）。
【数５】
2006500880.tif 000008
【００４１】
本発明に従ったある実施例では、ＴＰＣシンボルは、たとえば、次式に従って周波数誤差情報を使用してさらに調節することができ（ブロック５１０）、
【数６】
2006500880.tif 000009
ここで、ｅｆｒｅｑ，ｂはモバイルユーザ端末と基地局ｂとの間の周波数誤差である。たとえば、伝播チャネル推定値が計算された時およびそれらが適用される時に、方程式（６）の”ｃｏｎｓｔ”に、基づくことが理解できる。
【００４２】
本発明に従ったさらに他の実施例では、ブロック５０５および５１０である方程式（５）および（６）を合成して１つの式とすることにより、たとえば、ＴＰＣシンボルを周波数誤差に対して調節することができ、
【数７】
2006500880.tif 000010
ここで、ｅｆｒｅｑ．ｂ．ｆはモバイルユーザ端末とｒａｋｅフィンガーｆに対する基地局ｂとの間の周波数誤差である。本発明に従った実施例に記載されているように、方程式（６）または（７）に従った周波数補償を使用する時は、対称的な判断領域、すなわち、
2006500880.tif 000011
を使用するのが良い。
【００４３】
本発明に従ったある実施例では、周波数誤差情報はモバイルユーザ端末に関連する自動周波数制御（ＡＦＣ）ブロックにおいて提供することができ、シンボルスペース内でＴＰＣシンボルを回転させるのに使用することができる。本発明に従ったある実施例では、周波数誤差情報はモバイルユーザ端末と通信する各基地局について異なることがある。本発明に従ったある実施例では、周波数誤差情報は全てもしくはいくつかの基地局とモバイルユーザ端末との間の平均周波数誤差とすることができる。
【００４４】
各基地局に対するＴＰＣシンボルとシンボルスペースの判断領域を分離する境界との間のＩＱ座標系内の距離が決定される（ブロック５１５）。本発明に従ったある実施例では、図３に示す各線（第１および第２の非対称的判断領域を画定する）までの距離ｄ１およびｄ２を次式に従って決定することができ、
【数８】
2006500880.tif 000012
ここで、Ｒｅ（ｓｂ）およびＩｍ（ｓｂ）は、それぞれ、シンボルｓｂの実および虚成分を示し、前と同様に、係数ｋｉは
2006500880.tif 000013
であるような正の値である。ｄ１およびｄ２が共にゼロよりも小さければ、次式に従って符号付き距離を決定することができる。
【数９】
2006500880.tif 000014
ｄ１またはｄ２が共にゼロ以上であれば、次式に従って符号付き距離を決定することができる。
【数１０】
2006500880.tif 000015
2006500880.tif 000016
が上限閾距離値（ｕｐｐｅｒ  ｔｈｒｅｓｈｏｌｄ  ｄｉｓｔａｎｃｅ）よりも大きければ、ＴＰＣシンボルを、モバイルユーザ端末送信電力を増加するコマンドとして解釈することができる（ブロック５２０）。
2006500880.tif 000017
が下限閾距離値（ｌｏｗｅｒ  ｔｈｒｅｓｈｏｌｄ  ｄｉｓｔａｎｃｅ）よりも小さければ、ＴＰＣシンボルを、モバイルユーザ端末の送信電力を減少するコマンドとして解釈することができる（ブロック５２５）。
【００４５】
しかしながら、ＴＰＣコマンドをモバイルユーザ端末へ送信するのに１つの基地局しか使用されない場合には、方程式（５）により決定されるｓｂの符号をＴＰＣシンボルに与えることができる。
【００４６】
本発明に従った他の実施例では、複数の送信機から受信した合成電力制御コマンドの第１の決定と複数の送信機から受信した合成電力制御コマンドの第２の決定とを合成させて合成電力制御コマンドを提供することにより、広帯域符号分割多元接続通信システムにおけるソフトハンドオーバ中の受信機の送信電力制御コマンドを決定することができる。
【００４７】
前述した本発明に従ったある実施例では、さまざまな方法に異なる重みを与えてＴＰＣコマンドを決定することができる。特に、１つの方法はＴＰＣコマンドをＴＰＣ電力減少コマンドとして解釈する偏りを含み、もう１つの方法はＴＰＣコマンドをＴＰＣ電力増加コマンドとして解釈する偏りを含むことができる。ある実施例では、さまざまな方法を互いに合成することができ、さらに、さまざまな方法は互いに合成される時に異なる重みを有することができる。
【００４８】
本発明に従ったある実施例では、方程式（４）のソフト判断変数を合成する２つの異なる方法は、次式で表すことができる合成電力制御コマンドの第１および第２の決定とすることができ、
【数１１】
2006500880.tif 000018
および
【数１２】
2006500880.tif 000019
ここで、
2006500880.tif 000020
は状況に応じてｓｂまたはｗｂに対応し、符号は符号関数を示し（すなわち、ｘ＞＝０ならばｓｉｇｎ（ｘ）＝１でありｘ＜０ならばｓｉｇｎ（ｘ）＝−１）、方程式（１１）は前述の説明で既に紹介されている。ＴＰＣ＝−１はＴＰＣ電力減少コマンドが受信されたことをモバイルユーザ端末が決定していることを意味し、ＴＰＣ＝＋１はＴＰＣ電力増加コマンドが受信されたことをモバイルユーザ端末が決定していることを意味する。
【００４９】
方程式（１１）により与えられる方法はＴＰＣコマンドをＴＰＣ電力減少コマンドとして解釈する偏りを提供することができる合成電力制御コマンドの第１の決定とすることができる。この方法は前述したように、単独で、モバイルユーザ端末が停止状態に入る危険性を招くことがあるため、ＴＰＣ電力減少コマンドに優先権を与える（若しくは、その偏りを有する）ことは慎重な方法と考えることができる。アクティブな無線セット内の基地局数が２よりも大きい場合特にそうである。
【００５０】
方程式（１２）により与えられる方法は電力制御コマンドの第２の決定とすることができ、それはＴＰＣコマンドをＴＰＣ電力増加コマンドとして解釈する偏りを提供することができる。ＴＰＣ電力増加コマンドに優先権を与える（若しくは、その偏りを与える）この方法は、単独で、遠近問題の危険性を高めることがある、すなわち、過剰送信電力を有するモバイルユーザ端末がシステム容量を低下させることがある。
【００５１】
本発明の実施例に従って、方程式（１１）および（１４）で与えられる方法を合成すると以下の式になり、
【数１３】
2006500880.tif 000021
上式は、合成電力制御コマンドの第１および第２の決定の合成を提供することができ、符号は符号関数αが基地局数に基づいて一定であることを示す。本発明に従ったある実施例では、０≦α≦１である。
αの適切な選択により方程式１１および１２により与えられる別々の方法の利点および欠点を良好にトレードオフすることができる。αおよびその補数（１−α）は方程式１３の合成ＴＰＣシンボルの第２および第１の決定に適用される第１および第２のスケーリングファクタとすることができる。あるいは、次式に従ってこの方法を合成することができる。
【数１４】
2006500880.tif 000022
【００５２】
本発明に従ったある実施例では、αの値はソフトハンドオーバに関与する基地局数とモバイルユーザ端末が各基地局と通信するチャネルに関連するＳＩＲとに基づくことができ、次式が得られる。
【数１５】
2006500880.tif 000023
【００５３】
したがって、より一般的な形で、ＴＰＣシンボルは次式として決定することができる。
【数１６】
2006500880.tif 000024
【００５４】
本発明に従ったある実施例では、ソフトハンドオーバにおける基地局数はモバイルユーザ端末へ知らせることができる。さらに、各基地局に対するＳＩＲはモバイルユーザ端末により推定することができる。したがって、適切なα値はモバイルユーザ端末内のルックアップテーブル内に格納するかあるいは基地局数およびＳＩＲに基づいてモバイルユーザ端末によりオンザフライで決定することができる。
【００５５】
本発明に従ったある実施例では、基地局当り無線パス数および各基地局に対する電力遅延プロファイル（ＰＤＰ；Ｐｏｗｅｒ  Ｄｅｌａｙ  Ｐｒｏｆｉｌｅ）を判断関数において使用することができ、
【数１７】
2006500880.tif 000025
ここで、Ｎｆｂは無線パス数であり、ＰＤＰｂは各基地局ｂに対する電力遅延プロファイルである。
【００５６】
図６は本発明に従った実施例を示すブロック図である。モバイルユーザ端末６００は、たとえば、３ＧＰＰ仕様に従ってＢ個の基地局（ＢＳ１−ＢＳＢ）と共にソフトハンドオーバモードで動作している。ソフトハンドオーバにおいて、ＢＳ１−ＢＳＢからの信号を含む受信信号がダウンコンバートされフロントエンド受信機回路ＲＸ６０５内でデジタルベースバンド信号へサンプリングされる。受信信号は正規ベースで各ＢＳに対するＰＤＰを推定する遅延推定回路６１０へ提供される。
【００５７】
遅延推定器回路６１０からの出力はＫの最も強い無線パスに対する遅延τｋである。基地局（ＢＳ１−ＢＳＢ）の１つ以上が一時的に弱くなることがあり、Ｍ（すなわち、Ｂよりも少ない）個の基地局だけが遅延推定器回路６１０からの出力でもあるＫ個の最も強い無線パスで表されることを意味する。遅延情報がＲＡＫＥ受信機回路６１５へ提供され、受信信号を逆拡散して各無線パスに対する無線チャネルおよびＳＩＲを推定する。また、Ｒａｋｅによりデータの最大比合成（ＭＲＣ；Ｍａｘｉｍｕｍ  Ｒａｔｉｏ  Ｃｏｍｂｉｎｉｎｇ）を実施してデコーダ回路６２０へ提供しさらに処理することができる。
【００５８】
各基地局ｂからのＦｂフィンガーは、たとえば、ＭＲＣを使用して方程式４に従って合成され基地局当りの各ＳＩＲが合成回路６２５へ提供されて、合成回路は各基地局に対するソフト値を合成する。合成回路６２５の動作は基地局、基地局にわたるＳＩＲ分布、基地局当りＰＤＰ、およびＢおよびＭによって決まる。本発明の実施例に従った合成は、たとえば、方程式１３−１７について記述されている。
【００５９】
スケーリングファクタαを決定するいくつかの例が以下に提供される。下記の例は典型的な値であって本発明の範囲を限定するものではない。方程式１６に従った合成を使用して、αを次のように選択することができる。
【００６０】
本発明に従ったある実施例では、アクティブ無線リンクセット内の各ＢＳに対するＳＩＲ値が全基地局に対してほぼ同じ、たとえば、ある最大ＳＩＲの４０％以内であれば、αはおよそ０．３に選択することができＢおよびＭは２から３の範囲内である。本発明に従った他の実施例では、αはおよそ０．４に選択することができＢおよびＭは３よりも大きい。
【００６１】
本発明に従ったある実施例では、１つの基地局が全基地局に対する最大ＳＩＲの４０％よりも小さいＳＩＲ値を有するか（Ｂは２から３の範囲）または２つの基地局が最大ＳＩＲの４０％よりも小さいＳＩＲ値を有する場合（Ｂは４から６の範囲）、αはおよそ０．２５に選択することができＢ＝２，３である。本発明に従った他の実施例では、αはおよそ０．３に選択することができＢは３よりも大きい。
【００６２】
本発明に従ったある実施例では、大概の基地局が最大ＳＩＲの４０％よりも小さいＳＩＲ値を有する場合、αはおよそ０．２に選択することができＢは２から３の範囲内である。本発明に従ったある実施例では、αはおよそ０．２に選択することができＢは３．０よりも大きい。
【００６３】
好ましい実施例とその図面に関して本発明を説明してきたが、本発明の精神および範囲を逸脱することなくさまざまな変更および修正が可能である。
【図面の簡単な説明】
【００６４】
【図１Ａ】本発明に従ったワイヤレス通信システムの実施例を示すブロック図である。
【図１Ｂ】本発明に従ったモバイルユーザ端末の実施例内に含まれる受信機および送信機を示すブロック図である。
【図２】本発明に従ったｒａｋｅ受信機の実施例を示すブロック図である。
【図３】本発明に従ったシンボルスペースを示す略図である。
【図４】本発明に従った実施例の典型的な動作を示すフロー図である。
【図５】本発明に従った実施例の典型的な動作を示すフロー図である。
【図６】本発明に従ったモバイルユーザ端末の実施例内に含まれる受信機および送信機を示すブロック図である。
【図１Ａ】
2006500880.tif 000026
【図１Ｂ】
2006500880.tif 000027
【図２】
2006500880.tif 000028
【図３】
2006500880.tif 000029
【図４】
2006500880.tif 000030
【図５】
2006500880.tif 000031
【図６】
2006500880.tif 000032
【国際調査報告】
2006500880.tif 000033
2006500880.tif 000034
2006500880.tif 000035
2006500880.tif 000036